(57)【要約】  画像表示装置１は、画像表示面１１を備えた表示部１０と、画像表示面１１から出射される光の光路に配置された画像伝達パネル２０と、を備え、画像表示面１１から出射される光を画像伝達パネルの表示部１０と対向する側と反対側に位置する空間に浮遊画像Ｐ２として表示する浮遊画像表示部１１０と、携帯端末の位置を検出する位置検出部１２０と、携帯端末２と情報の送受信を行う情報送受信部１３０と、浮遊画像Ｐ２と携帯端末２の画像表示面に表示される端末画像Ｐ３を制御する画像制御部１４０と、を有し、画像制御部１４０は、携帯端末２の位置と、携帯端末２との間で送受信される情報の伝送状況に基づいて、浮遊画像Ｐ２及び端末画像Ｐ３のそれぞれを連動させて変化させる。
2010035326.tif 000002
【特許請求の範囲】
【請求項１】
二次元画像を表示する画像表示面を備えた表示部と、
前記画像表示面から出射される光の光路に配置された画像伝達パネルと、を備え、
前記画像表示面から出射される光を前記画像伝達パネルの前記表示部と対向する側と反対側に位置する空間に、浮遊画像として表示する浮遊画像表示手段と、
前記空間における携帯端末の位置を検出する位置検出手段と、
前記携帯端末と無線通信によって情報の送受信を行う情報送受信手段と、
前記浮遊画像と、前記携帯端末の画像表示面に表示される端末画像と、を互いに連動させて制御する画像制御手段と、
を有し、
前記画像制御手段は、
前記位置検出手段により検出された前記携帯端末の位置と、前記情報送受信手段により前記携帯端末との間で送受信される情報の伝送状況に基づいて、前記浮遊画像及び前記端末画像のそれぞれを連動させて変化させるように制御することを特徴とする画像表示装置。
【請求項２】
前記伝送状況は、
前記情報の伝送方向及び前記情報の伝送進捗度のうち少なくともいずれか一方であることを特徴とする請求項１記載の画像表示装置。
【請求項３】
前記情報送受信手段は、
前記位置検出手段が前記空間内において前記携帯端末を検出した場合には、前記情報の送受信を開始することを特徴とする請求項１記載の画像表示装置。
【請求項４】
前記情報送受信手段は、
前記画像表示制御手段が表示した前記浮遊画像の表示位置と、前記位置検出手段が前記空間内において検出した前記携帯端末の位置と、に基づいて、前記情報の送受信を開始することを特徴とする請求項１記載の画像表示装置。
【請求項５】
前記画像制御手段は、
連動させて変化させる前記浮遊画像及び前記端末画像のいずれか一方を徐々に大きく表示制御するとともに、他方を徐々に小さく表示制御することを特徴とする請求項１記載の画像表示装置。
【請求項６】
連動させて変化させる前記浮遊画像と前記端末画像は、同一オブジェクトに関する画像であることを特徴とする請求項５記載の画像表示装置。
【請求項７】
連動させて変化させる前記浮遊画像と前記端末画像は、同一オブジェクトに関する画像であり、
前記画像制御手段は、
前記浮遊画像及び前記端末画像のいずれか一方においては、表示されている画像を徐々に部分的に消去するとともに、他方においては、前記一方において部分的に消去した画像を徐々に表示するように制御することを特徴とする請求項１記載の画像表示装置。
【請求項８】
前記画像制御手段は、
前記浮遊画像を徐々に部分的に消去する場合には、
前記携帯端末の移動に追随して、前記位置検出手段が検出した前記携帯端末の位置近傍の前記浮遊画像を消去することを特徴とする請求項７記載の画像表示装置。
【請求項９】
前記画像制御手段は、
前記情報送受信手段が前記情報の送受信を終了した後、送受信した情報を展開することを特徴とする請求項１記載の画像表示装置。
【請求項１０】
前記画像制御手段は、
前記情報送受信手段が前記情報の送受信を終了した後、送受信した情報に基づいて、所定の処理を実行することを特徴とする請求項１記載の画像表示装置。
【請求項１１】
前記情報送受信手段は、
前記浮遊画像の消去量に応じて、送受信する情報の量を変化させることを特徴とする請求項８記載の画像表示装置。
【請求項１２】
前記画像表示制御手段が複数の前記浮遊画像を表示する場合であって、前記情報送受信手段が前記情報の送受信を開始する送受信条件を満たした場合には、前記送受信条件を満たした回数に応じて、送受信する情報の量を変化させることを特徴とする請求項４記載の画像表示装置。
【請求項１３】
前記空間内に演出用実物体を配設し、前記画像制御手段は、前記演出用実物体の配設位置から前記浮遊画像を移動させながら表示することを特徴とする請求項１記載の画像表示装置。
【請求項１４】
前記浮遊画像は、前記画像表示面に表示された二次元画像に基づく実像であることを特徴とする請求項１乃至１３のいずれか１項に記載の画像表示装置。
【請求項１５】
前記浮遊画像は、前記画像伝達パネルによって空間中の結像面に結像された実像であることを特徴とする請求項１４記載の画像表示装置。
【請求項１６】
請求項１乃至１３のいずれか１項に記載の画像表示装置と、前記携帯端末と、を備えたことを特徴とする画像表示システム。
【発明の詳細な説明】
【技術分野】
【０００１】
本発明は、二次元画像を立体的に表示する画像表示装置に関する。
【背景技術】
【０００２】
近年、立体画像を観察者に対して提供する様々なシステムが提案されている。【０００３】
この種の画像表示装置においては、両眼視差を利用することにより、ディスプレイ等の画像表示面上の二次元画像を立体画像として提供する方式が良く知られている。【０００４】
しかしながら、この両眼視差を利用した画像表示装置では、観察者は、対象物体の立体画像として虚像を注視することになるため、画像表示面上に合わされるピント（焦点調節）と輻輳との間に不一致が生じ、観察者に対して生理的な影響を与える可能性がある。【０００５】
そこで、この方式とは別に、画像伝達パネル（例えば、複数のレンズからなるマイクロレンズアレイ）を、二次元画像の画像表示面の前方に所定の間隔を隔てて配置することにより、画像伝達パネルの前方の空間上に、二次元画像の擬似立体画像（浮遊画像）を表示する画像表示装置が提供されている（例えば、特許文献１。）。この画像表示装置は、二次元画像を画像伝達パネルによって浮き出させて結像することで、あたかも立体画像が映し出されているように表示するものである。【０００６】
また、このような浮遊画像を表示する画像表示装置の中には、２つの二次元画像の表示面を備え、一方の表示面に映し出される画像は、浮遊画像として認識させ、他方の表示面に映し出される画像は、直視画像として認識させる画像表示装置も存在する（例えば、特許文献２参照。）。また、インタラクティブなコミュニケーションを浮遊画像との間で図ることができる画像表示装置も存在する（例えば、特許文献３、４参照。）。例えば、特許文献３には、観察者の指などの被検出物の位置を検出して、検出した被検出物の位置に応じて浮遊画像を変化させる技術、特許文献４には、道具などの被検出物の属性を検出して、検出した被検出物の属性に応じて浮遊画像を変化させる技術が開示されている。【０００７】
【特許文献１】特開２００３−３３３６２３号公報
【特許文献２】特開２００５−２３４２４０号公報
【特許文献３】特開２００５−１４１１０２号公報
【特許文献４】国際公開第２００８／０４１３１５号パンフレット
【発明の開示】
【発明が解決しようとする課題】
【０００８】
昨今、携帯端末（例えば、携帯電話端末など）を用いて、他の情報端末と情報のやりとりを行うことが盛んである。例えば、表示された二次元コードを読み取って、携帯端末に必要な情報を取り入れたり、携帯端末で撮影した写真画像データをプリント出力装置に接続して写真を印刷したりしている。【０００９】
上述したような携帯端末と情報端末との情報のやりとりを、従来にない新規なインターフェースで行い、転送操作自体をユーザが積極的に楽しめるような演出効果があれば、携帯端末を用いた情報提供サービスをさらに促進することになる。【００１０】
本発明は、上記の事情を鑑みてなされたものであり、その課題の一例としては、携帯端末との情報のやりとりを、浮遊画像を用いた新規なインターフェースで実現し、その転送操作自体をユーザが興味を持って楽しむことができる画像表示装置を提供することにある。
【課題を解決するための手段】
【００１１】
上記の課題を達成するため、本発明の請求項１記載の画像表示装置は二次元画像を表示する画像表示面を備えた表示部と、前記画像表示面から出射される光の光路に配置された画像伝達パネルと、を備え、前記画像表示面から出射される光を前記画像伝達パネルの前記表示部と対向する側と反対側に位置する空間に、浮遊画像として表示する浮遊画像表示手段と、前記空間における携帯端末の位置を検出する位置検出手段と、前記携帯端末と無線通信によって情報の送受信を行う情報送受信手段と、前記浮遊画像と、前記携帯端末の画像表示面に表示される端末画像と、を互いに連動させて制御する画像制御手段と、を有し、前記画像制御手段は、前記位置検出手段により検出された前記携帯端末の位置と、前記情報送受信手段により前記携帯端末との間で送受信される情報の伝送状況に基づいて、前記浮遊画像及び前記端末画像のそれぞれを連動させて変化させるように制御することを特徴とする。
【図面の簡単な説明】
【００１２】
【図１】本発明の実施の形態に係る画像表示装置の浮遊画像表示部の外観斜視図である。
【図２】本発明の実施の形態に係る画像表示装置の浮遊画像表示部の側面から見た外観図である。
【図３】本発明の実施の形態に係る画像表示装置の浮遊画像表示部の画像伝達パネルの構成図である。
【図４】本発明の実施の形態に係る画像表示装置の浮遊画像表示部の画像伝達パネルであるマイクロレンズアレイの光学的作用を説明する図である。
【図５】図４に示すマイクロレンズアレイとは異なる構成のマイクロレンズアレイの光学的作用を説明する図である。
【図６】本発明の実施の形態に係る画像表示システムの機能構成図である。
【図７】本発明の実施の形態に係る画像表示システムの第１実施例における浮遊画像を示す図である。
【図８】本発明の実施の形態に係る画像表示システムの第１実施例の動作を説明する模式図である。
【図９】本発明の実施の形態に係る画像表示システムの第１実施例の動作を説明する模式図である。
【図１０】本発明の実施の形態に係る画像表示システムの第１実施例において携帯端末に表示される情報を示す図である。
【図１１】本発明の実施の形態に係る画像表示システムの第１実施例の動作を示すフローチャートである。
【図１２】図１１のステップＳ７０を詳しく示すフローチャートである。
【図１３】図１１のステップＳ８０を詳しく示すフローチャートである。
【図１４】本発明の実施の形態に係る画像表示システムの第２実施例における浮遊画像を示す図である。
【図１５】本発明の実施の形態に係る画像表示システムの第２実施例の動作を説明する模式図である。
【図１６】本発明の実施の形態に係る画像表示システムの第２実施例の動作を説明する模式図である。
【図１７】本発明の実施の形態に係る画像表示システムの第２実施例の動作を示すフローチャートである。
【図１８】本発明の実施の形態に係る画像表示システムの第３実施例における携帯画像を示す図である。
【図１９】本発明の実施の形態に係る画像表示システムの第３実施例の動作を説明する模式図である。
【図２０】本発明の実施の形態に係る画像表示システムの第３実施例の動作を説明する模式図である。
【図２１】本発明の実施の形態に係る画像表示システムの第３実施例の変形例の動作を説明する模式図である。
【図２２】本発明の実施の形態に係る画像表示システムに実物体を加えた変形例の動作を説明する模式図である。
【図２３】本発明の実施の形態に係る画像表示装置の浮遊画像表示部の他の構成を示す図である。
【符号の説明】
【００１３】
１  画像表示装置
２  携帯端末
１０，５０  表示部
１１  画像表示面
２０，２０Ａ  画像伝達パネル
２１  レンズアレイ半体
２２  透明基板
２３  マイクロ凸レンズ
２５  マイクロレンズアレイ
３０  結像面
１００，１００Ａ  画像表示システム
Ｐ１  二次元画像
Ｐ２，Ｐ２Ａ  浮遊画像
Ｐ３  携帯画像（二次元画像）
Ｈ  観察者（ユーザ）
【発明を実施するための最良の形態】
【００１４】
以下、本発明の実施の形態を図面を用いて説明する。【００１５】
＜画像表示システム１００の概要＞
本発明の実施の形態に係る画像表示システム１００は、観察者Ｈが立体表示であると視認可能な二次元画像を空間中の所定の平面上に表示する擬似立体画像表示装置の画像表示装置１と、観察者Ｈが携行する携帯端末２と、とから構成されている。以下、本実施の形態においては、上述した「空間中の所定の平面上に表示される二次元画像」を浮遊画像と称する。浮遊画像は、観察者Ｈからはあたかも空中に浮かんでいるように見える実像画像である。画像表示システム１００においては、画像表示装置１が表示した浮遊画像の近傍に携帯端末２を近づけると、画像表示装置１と携帯端末２との間で情報のやりとりが行われるとともに、浮遊画像と携帯端末２上に表示される二次元画像（以下、携帯画像という）をお互いに関連付けて変化させるようになっている。例えば、浮遊画像と携帯画像を連動させて、浮遊画像が携帯端末２に吸い込まれるような画像表示や携帯端末２に表示されている画像が飛び出すような画像表示を行うことにより、画像表示装置１と携帯端末２との間の情報の転送を可視化して、観察者Ｈにデータ転送が行われていることを直感的に把握させるようにしている。【００１６】
＜画像表示装置１の基本構成＞
まず、本実施の形態に係る画像表示システム１００について説明する前に、画像表示装置１の基本構成、すなわち、浮遊画像を表示する機能を有する画像表示装置１の浮遊画像表示部１１０の構成について説明する。【００１７】
図１及び図２は、本発明の実施の形態に係る浮遊画像表示部１１０の概略構成図である。図１は、浮遊画像表示部１１０の外観斜視図、図２は、浮遊画像表示部１１０を側面方向（図１のＡ−Ａ方向）から見たときの外観図である。【００１８】
浮遊画像表示部１１０は、表示部１０と、表示部１０から離間して配置された画像伝達パネル２０を備える。【００１９】
表示部１０は、二次元画像を表示する画像表示面１１、及び表示部１０を駆動制御するディスプレイ駆動部（図示せず）を具備する構成である。具体的には、表示部１０は、カラー液晶表示装置（ＬＣＤ）を用いることができ、フラットな画像表示面１１と、バックライト照明部及びカラー液晶駆動回路等から構成されるディスプレイ駆動部を備える。勿論、表示部１０は、上記ＬＣＤ以外でもよく、ＥＬ（electro-luminescence）ディスプレイ、プラズマディスプレイ、ＣＲＴ（Cathode Ray Tube）等のディスプレイでもよい。【００２０】
画像伝達パネル２０は、例えば、マイクロレンズアレイ２５によって構成され、そのパネル面を表示部１０の画像表示面１１と略並行に配置する（図１及び図２参照）。マイクロレンズアレイ２５は、図３に示すように、２枚のレンズアレイ半体２１ａ、２１ｂが互いに平行に配列されて構成されている。各レンズアレイ半体２１ａ、２１ｂは、透光性に優れたガラスまたは樹脂からなる透明基板２２の両面に、同一の曲率半径を有する複数の微小なマイクロ凸レンズ２３を二次元状に互いに隣接配置したものである。一面に形成された各マイクロ凸レンズ２３ａの光軸は、対向する位置に形成された他面のマイクロ凸レンズ２３ｂの光軸と同一となるように調整されている。すなわち、同一の光軸を有するように調整されたマイクロ凸レンズ２３ａ、２３ｂの各対は、それぞれの光軸が互いに平行になるように、二次元状に配列されている。【００２１】
マイクロレンズアレイ２５は、表示部１０の画像表示面１１に対して平行に所定距離（マイクロレンズアレイ２５の作動距離）だけ離れた位置に配置されている。マイクロレンズアレイ２５は、表示部１０の画像表示面１１から出射した画像に対応する光を画像表示面１１と反対側の所定距離（マイクロレンズアレイ２５の作動距離）だけ離れた結像面３０上に結像させることにより、画像表示面１１に表示された画像を空間上の二次元平面である結像面３０上に表示するようになっている。この結像された画像は二次元画像であるが、その画像が奥行き感を持つものである場合やディスプレイ上の背景画像が黒くコントラストが強調されているような場合には、空間上に浮いて表示されることから、正面の観察者Ｈからは、あたかも立体画像が映し出されているように見える。なお、結像面３０は、空間上に仮想的に設定される平面であって実体物ではなく、マイクロレンズアレイ２５の作動距離に応じて定義される空間上の一平面である。【００２２】
なお、マイクロレンズアレイ２５の浮遊画像表示パラメータ（具体的には、有効面積（入射される光を結像面３０上に有効に結像できるマイクロ凸レンズ配列面積など）およびマイクロ凸レンズ配列ピッチ）と、表示部１０の浮遊画像表示パラメータ（具体的には、画像表示面１１の画素ピッチ、有効画素面積、画像表示面１１に表示される画像の輝度、コントラストおよび色など）とは、結像面３０に表示される浮遊画像が鮮明に表示されるように、互いに最適化されている。【００２３】
この結果、マイクロレンズアレイ２５は、図４に示すように、表示部１０の画像表示面１１から出射された画像Ｐ１に対応する光をレンズアレイ半体２１ａから入射させ、内部で一回反転させた後、再度反転させてレンズアレイ半体２１ｂから出射させるように調整されて配置されている。これにより、マイクロレンズアレイ２５は、表示部１０の画像表示面１１に表示された二次元画像Ｐ１を、結像面３０上に正立の浮遊画像Ｐ２として表示することができる。【００２４】
より詳しくは、画像表示面１１に表示される二次元画像Ｐ１を形成する光のうち、マイクロレンズアレイ２５の各々のマイクロ凸レンズ２３に対応する領域の画像の光が、各々のマイクロ凸レンズ２３に取り込まれ、各々のマイクロ凸レンズ２３の内部で反転し、再度反転させて出射し、各々のマイクロ凸レンズ２３が結像する正立像の集合として浮遊画像Ｐ２を表示している。【００２５】
なお、マイクロレンズアレイ２５は、レンズアレイ半体２１ａ、２１ｂの二枚一組で構成されるものに限定されず、一枚で構成してもよく、また、３枚以上の複数枚で構成してもよい。勿論、１枚、３枚など奇数枚のレンズアレイ半体２１で浮遊結像を結像させる場合においても、図５（ａ）及び（ｂ）に示すように、マイクロレンズアレイ２５に入射させた光を内部で一回反転させた後、再度反転させるようになっているので、正立の浮遊画像を表示することができる。【００２６】
以上述べたように、マイクロレンズアレイ２５には種々の構成が考えられ、このように構成されたマイクロレンズアレイ２５は、光を結像させる作動距離として、単一の距離でなく、ある一定の有効範囲を持つことが可能となる。【００２７】
なお、本実施の形態においては、画像伝達パネル２０をマイクロレンズアレイ２５としたが、画像伝達パネル２０はマイクロレンズアレイ２５に限定されるものではなく、正立像、望ましくは正立等倍像を結像するものであれば、何であってもよく、他の形態のレンズやレンズ以外の結像作用があるミラーやプリズムでもよい。例えば、マイクロレンズアレイとしては、屈折率分布レンズアレイ、ＧＲＩＮレンズアレイ、ロッドレンズアレイなどであってもよいし、マイクロミラーアレイとしては、ルーフミラーアレイ、コーナーミラーアレイなどでもよいし、また、マイクロプリズムアレイとしては、ルーフプリズムアレイ、ダブプリズムアレイなどでもよい。また、反転像となるが、アレイではなく、必要な有効領域を持つ一つのフレネルレンズでもよい。【００２８】
＜画像表示システム１００の構成＞
次に、図６を用いて、画像表示システム１００の構成について説明する。図６は、画像表示装置１と携帯端末２とから構成される画像表示システム１００の機能構成図である。【００２９】
画像表示装置１は、概略、浮遊画像表示部１１０と、位置検出部１２０と、情報送受信部１３０と、画像制御部１４０と、を具備する構成である。【００３０】
浮遊画像表示部１１０は、上述したように、表示部１０と画像伝達パネル２０とから構成され、結像面３０に浮遊画像Ｐ２を表示する機能を有する。【００３１】
位置検出部１２０は、観察者Ｈの被検出体（本実施の形態においては、携帯端末２）の位置を検出するセンサであり、検出した信号を画像制御部１４０に出力するようになっている。位置検出部１２０は、具体的には、結像面３０近傍の空間における被検出体の位置を検出する空間センサから構成されている。なお、空間センサはいずれの方式であってもよく、例えば、光学式の空間センサなどが想定される。【００３２】
情報送受信部１３０は、無線通信を介して、携帯端末２に情報を送信したり、携帯端末２から送信された情報を受信したりするようになっている。詳しくは、位置検出部１２０が結像面３０近傍において携帯端末２を検出することを契機に、携帯端末２の表示部５０に表示される携帯画像Ｐ３のデータ（例えば、アイコン画像のデータ、地図情報や音楽データなど）を携帯端末２に送信したり、また、携帯端末２が保持しているデータ（例えば、写真画像データなど）を受信したりするようになっている。ここで、送受信される情報の内容としては、画像、映像、文字、音声、音楽などが想定される。また、無線通信の方式は、数センチから数メートル先の携帯端末２と双方向通信が可能であればいかなる方式であってもよく、例えば、無線ＬＡＮ、Ｂｌｕｅｔｏｏｔｈ（登録商標）、Ｆｅｌｉｃａ（登録商標）などが想定される。【００３３】
画像制御部１４０は、表示部１０に表示する画像データ、及び携帯端末２の表示部５０に表示する画像データをそれぞれ生成するとともに、表示部１０に表示される画像データと表示部５０に表示される画像データを互いに連動させて表示するように画像制御を行っている。【００３４】
より詳しくは、画像制御部１４０は、位置検出部１２０が結像面３０近傍において携帯端末２を検出することを契機に、位置検出部１２０の出力信号、及び情報送受信部１３０の送受信状況に応じて、表示部１０に表示する二次元画像Ｐ１、及び表示部５０に表示する携帯画像Ｐ３を変化させるように制御している。すなわち、画像制御部１４０は、観察者Ｈの被検出体である携帯端末２の位置や、携帯端末２との間で送受信される情報の伝送方向（情報を画像表示装置１から携帯端末２に送信するか、または携帯端末２から画像表示装置１に送信するか）や伝送進捗度に応じて、浮遊画像Ｐ２と携帯画像Ｐ３を互いに関連付けて変化させるように制御している。例えば、後述するように、所定のオブジェクトの浮遊画像Ｐ２に携帯端末２を近づけたときは、表示されていた浮遊画像Ｐ２（伝送元の画像）を徐々に小さく表示するように制御すると同時に、同一オブジェクトの携帯画像Ｐ３（伝送先の画像）を徐々に大きく表示するように、表示部５０に表示する画像データを、情報送受信部１３０を介して携帯端末２に送信制御するようになっている。【００３５】
携帯端末２は、観察者Ｈが携行可能な情報端末である。携帯端末２としては、画像表示装置１の情報送受信部１３０と無線通信可能な携帯端末であれば何であってもよく、例えば、携帯電話端末、ＰＤＡ（Personal Digital Assistant）、ポータブルゲーム機などの携行可能な情報端末が想定される。【００３６】
＜第１実施例＞
続いて、上述した画像表示システム１００を店舗情報の提供サービスに適用した第１実施例について説明する。第１実施例に係る画像表示システム１００においては、画像表示装置１が、まず、店舗情報を浮遊画像Ｐ２として表示する。例えば、図７（ａ）に示すように、所定のレストランの情報メニュー（所定のレストランの名称を示す画像Ｐ２０、当該レストランの地図情報を意味するアイコン画像Ｐ２１、当該レストランのメニュー情報を意味するアイコン画像Ｐ２２、及び当該レストランのクーポン情報を意味するアイコン画像Ｐ２３を含むメニュー）を浮遊画像として結像面３０に表示する。なお、図７（ａ）に示す例では、３つのアイコンそれぞれが画像Ｐ２０に形成された孔から徐々に落下していく画像表示を行っている。【００３７】
このような状態において、観察者Ｈが携行する携帯端末２を結像面３０に挿入する。例えば、図７（ｂ）に示すように、携帯端末２をアイコン画像Ｐ２１に近づけてアイコン画像Ｐ２１の下方に挿入すると、図８に示すように、アイコン画像Ｐ２１は徐々に小さく表示される。すなわち、画像表示装置１は、携帯端末２がアイコン画像Ｐ２１の下方に挿入されたのを契機に、アイコン画像Ｐ２１を徐々に小さく表示するように画像制御するので、その結果、観察者Ｈは、アイコン画像Ｐ２１が携帯端末２に吸い込まれるような画像演出を観察することとなる。【００３８】
一方、携帯端末２側では、図９に示すように、アイコン画像Ｐ２１と同一のアイコンを示すアイコン画像Ｐ３１が表示部５０に徐々に大きく表示される。すなわち、携帯端末２がアイコン画像Ｐ２１の下方に挿入されたのを契機に、アイコン画像Ｐ２１は徐々に小さく表示されると同時に、アイコン画像Ｐ３１は徐々に大きく表示されるので、アイコンが空中から携帯端末２に入り込んで、情報が携帯端末２に転送されたような画像演出が実行されることとなる。【００３９】
勿論、上述した画像演出を実行するためには、携帯端末２がアイコン画像Ｐ２１の下方に挿入されたのを契機に、画像表示装置１は、携帯端末２に対して、アイコン画像Ｐ２１の画像データ、及びアイコン画像Ｐ２１に関連するデータ（例えば、アイコン画像Ｐ２１が示す情報、つまり、レストランの地図情報など）を送信するようになっている。より詳しくは、本実施例においては、画像表示装置１は、携帯端末２に送信する情報の送信状況（伝送方向や伝送進捗度）に応じて、アイコン画像Ｐ２１及びＰ３１の画像制御を行っている。具体的には、画像表示装置１から携帯端末２へ情報を送信する場合において、送信した情報量の全送信量に対する割合に応じて、伝送元のアイコン画像Ｐ２１を徐々に小さくすると同時に伝送先のアイコン画像Ｐ３１を徐々に大きくするように制御している（送信した情報量が多くなるに従って、アイコン画像Ｐ２１を小さくすると同時にアイコン画像Ｐ３１を大きく制御している）。【００４０】
そして、画像表示装置１から携帯端末２への情報送信が終了した後には、携帯端末２の表示面５０に表示されているアイコン画像Ｐ３１のアイコンが展開されて、展開情報が表示される。例えば、図９に示すように、アイコン画像Ｐ３１が表示面５０に表示された場合には、図１０（ａ）に示すようなレストランの地図情報Ｐ３１Ａが表示される。なお、図１０（ｂ）は、図７に示す情報メニューのアイコン画像Ｐ２２の下方に携帯端末２を挿入した場合において、携帯端末２にアイコン画像Ｐ３２が表示された後に表示されるメニュー情報Ｐ３２Ａ、図１０（ｃ）は、図７に示す情報メニューのアイコン画像Ｐ２３の下方に携帯端末２を挿入した場合において、携帯端末２にアイコン画像Ｐ３３が表示された後に表示されるクーポン情報Ｐ３３Ａを示している。【００４１】
このように、第１実施例においては、携帯端末２を浮遊画像が表示されている結像面３０に差し込むことにより、浮遊画像として空中上に表示されているアイコンが空中から携帯端末２に入り込むとともに、取り込まれたアイコンが示す情報（地図情報、メニュー情報、クーポン情報など）が携帯端末２上に表示されるので、所望のデータが携帯端末２に転送される様子を画像演出として観察者Ｈに示すことができる。【００４２】
次に、図１１〜図１３を用いて、第１実施例に係る画像表示システム１００の動作について説明する。図１１は、第１実施例に係る画像表示装置１の動作を示すフローチャート、図１２は、図１１のステップＳ７０を詳しく示すフローチャート、図１３は、図１１のステップＳ８０に相当する携帯端末２の処理を示すフローチャートである。【００４３】
まず、画像表示装置１の画像制御部１４０は、結像面３０に初期画面を浮遊画像Ｐ２として表示する（ステップＳ１０）。具体的には、図７に示すような情報メニューを表示し、画像Ｐ２０及びアイコン画像Ｐ２１〜Ｐ２３を浮遊画像Ｐ２として表示する。【００４４】
次に、画像表示装置１の位置検出部１２０は、初期画面に携帯端末２が挿入されたか否かを判定する（ステップＳ２０）。具体的には、図７に示す情報メニューが表示された結像面３０に携帯端末２が挿入されたか否かを判定する。【００４５】
初期画面に携帯端末２が挿入されたときは（ステップＳ２０：ＹＥＳ）、位置検出部１２０は、結像面３０における携帯端末２の位置を検出し（ステップＳ３０）、また、画像制御部１４０は、初期画面上に表示しているアイコンの位置を検出する（ステップＳ４０）。具体的には、図７に示す情報メニューにおいては、３つのアイコンは上方からゆっくりと落下しているので、アイコンの位置に関しては、この落下するアイコン画像Ｐ２１〜Ｐ２３の位置を検出する。なお、初期画面に携帯端末２が挿入されないときは（ステップＳ２０：ＮＯ）、初期画面を浮遊画像Ｐ２としてそのまま表示し続ける（ステップＳ１０）。【００４６】
次に、画像表示装置１の画像制御部１４０は、アイコンが携帯端末２から一定範囲内にあるか否かを判定する（ステップＳ５０）。詳しくは、初期画面に挿入された携帯端末２の結像面３０における位置と、アイコンの位置との距離が閾値以下であるか否かを判定する。【００４７】
アイコンが携帯端末２から一定範囲内にあるときは（ステップＳ５０：ＹＥＳ）、画像表示装置１の画像制御部１４０は、一定範囲内にあるアイコンを選択したものと判断し（ステップＳ６０）、近づいてきているアイコンを徐々に縮小させながら表示する（ステップＳ７０）。具体的には、図７（ｂ）に示すように、アイコン画像Ｐ２１と携帯端末２が接近してきたときには、図８に示すように、アイコン画像Ｐ２１を徐々に縮小させつつ落下表示する。【００４８】
また、画像制御部１４０は、一定範囲内にあるアイコンに関連する情報を、情報送受信部１３０を介して、携帯端末２に送信し、携帯端末２の表示面５０にアイコンを徐々に拡大させつつ表示させる（ステップＳ８０）。具体的には、図７（ｂ）に示すように、アイコン画像Ｐ２１と携帯端末２が接近してきたときには、図９に示すように、アイコン画像Ｐ２１と同一のアイコン画像Ｐ３１を徐々に拡大させつつ表示する。【００４９】
ステップＳ７０の処理に関しては、より詳しくは、図１２に示すように、画像表示装置１の画像制御部１４０は、携帯端末２にアイコンに関連する情報を送信開始すると（ステップＳ７１：ＹＥＳ）、送信状況を確認し（ステップＳ７２）、送信状況に応じて、浮遊画像Ｐ２のアイコンを徐々に小さく表示する（ステップＳ７３）。そして、携帯端末２への情報送信が終了すると（ステップＳ７４：ＹＥＳ）、浮遊画像Ｐ２のアイコンを消去する（ステップＳ７５）。【００５０】
一方、ステップＳ８０の処理に相当する携帯端末２の処理に関しては、図１３に示すように、携帯端末２は画像表示装置１からの情報受信を開始すると（ステップＳ８１：ＹＥＳ）、受信状況を確認し（ステップＳ８２）、受信状況に応じて、携帯画像Ｐ３のアイコンを徐々に大きく表示する（ステップＳ８３）。そして、画像表示装置１からの情報受信が終了すると（ステップＳ８４：ＹＥＳ）、表示部５０にアイコンが示す情報を展開して、表示する（ステップＳ８５）。【００５１】
以上、第１実施例によれば、浮遊画像として空中に表示されたアイコンに携帯端末２を近づけると、アイコンが携帯端末２に吸い込まれるような画像表示を行って、携帯端末２の表示画面上には吸い込まれたアイコンが示す情報が展開されて表示されているので、観察者Ｈは所望の情報を簡単かつ直感的に取得することができる。【００５２】
また、画像表示装置１と携帯端末２との間の情報の転送状況を、浮遊画像及び携帯画像のアイコンの大きさによって視覚的に表示しているので、観察者Ｈは転送操作自体を楽しむことができる。【００５３】
なお、第１実施例においては、結像面３０に挿入した携帯端末２を動かさず、落下してくるアイコン画像を携帯端末２が受け止めるようにして、アイコンを携帯端末２に取り込むようにしたが、アイコンを携帯端末２に取り込む方法はこれに限定されるものではない。例えば、結像面３０に挿入した携帯端末２をアイコン画像に向けて上方に動かして、アイコンを積極的に携帯端末２に取り込むようにしてもよい。そして、この場合には、携帯端末２の移動速度も加味して、アイコンが携帯端末２に取り込まれる速度を決定してもよい。例えば、携帯端末２を動かさず、落下してくるアイコンを携帯端末２が受け止めるようにして、アイコンを携帯端末２に取り込む場合には、アイコンがゆっくり吸い込まれるように画像表示する一方、携帯端末２をアイコン画像に向けて素早く動かして、アイコンを携帯端末２に取り込む場合には、アイコンが一気に吸い込まれるように画像表示してもよい。なお、携帯端末２をアイコン画像に近づける場合には、その方向は問わない。例えば、下方から上方に向けて移動させて携帯端末２をアイコン画像に近づけてもよいし、左方から右方に向けて移動させて携帯端末２をアイコン画像に近づけてもよい。【００５４】
また、第１実施例においては、３つのうちの１つのアイコンを携帯端末２に取り込む例について説明したが、複数のアイコンを一度に携帯端末２に取り込むようにしてもよい。例えば、図７に示す情報メニューにおいて、携帯端末２を３つのアイコン画像Ｐ２１〜Ｐ２３に順次近づけて、３つのアイコンを携帯端末２に取り込み、３つのアイコンが示す情報を携帯端末２の表示部５０に重ねて表示するようにしてもよい。【００５５】
また、第１実施例においては、浮遊画像のアイコンを徐々に小さく表示すると同時に携帯画像のアイコンを徐々に大きく表示したが、アイコンを小さくするまたは大きくするには、上述したように相似形を保ちつつ大きさを変化させるほか、アイコンの形を変形させつつ小さくするまたは大きくするのも含まれる意である。また、アイコンの一部分を徐々に消去して小さくしたり、アイコンの一部分を徐々に表出させて大きくしたりするのも含まれる意である。【００５６】
さらには、第１実施例においては、画像表示装置１から携帯端末２への情報送信が終了した後に、携帯端末２の表示面５０に表示されているアイコン画像Ｐ３１のアイコンが展開されて、展開情報が表示されるようにしたが、アイコン画像Ｐ３１の展開、すなわち、地図情報Ｐ３１Ａの表示は、情報送信中に展開されるようにしてもよい。この場合には、携帯端末２は、アイコン画像Ｐ３１を携帯端末２の表示面５０に表示せず、画像表示装置１から携帯端末２に送信される情報の受信状況に応じて、地図情報Ｐ３１Ａの一部分を表示面５０に徐々に表出させて表示し、全情報の受信が終了したときに地図情報Ｐ３１Ａ全体を表示するものである。【００５７】
＜第２実施例＞
次に、画像表示システム１００を音楽提供サービス（音楽試聴サービス）に適用した第２実施例について説明する。第２実施例に係る画像表示システム１００においては、画像表示装置１が、まず、ＣＤのジャケット画像を浮遊画像Ｐ２として表示する。例えば、図１４（ａ）に示すように、ＣＤのジャケット画像を浮遊画像Ｐ２４（以下、ジャケット画像Ｐ２４という）として表示する。【００５８】
このような状態において、観察者Ｈが携行する携帯端末２を結像面３０に挿入する。例えば、図１４（ｂ）に示すように、携帯端末２をジャケット画像Ｐ２４に近づけてジャケット画像Ｐ２４の右下一端に挿入すると、携帯端末２を挿入した位置近傍のジャケット画像Ｐ２４は消去される。したがって、ジャケット画像Ｐ２４に挿入した携帯端末２を結像面３０上に沿って移動させると、図１５に示すように、移動した携帯端末２の軌跡に沿って、ジャケット画像Ｐ２４は順次消去されていく。すなわち、画像表示装置１は、携帯端末２がジャケット画像Ｐ２４に挿入されたのを契機に、携帯端末２が存在する位置近傍の所定の領域のジャケット画像Ｐ２４を消去するように画像制御しているので、携帯端末２を移動することにより、携帯端末２が通過した領域のジャケット画像Ｐ２４は次々と消去され、観察者Ｈは、あたかも、携帯端末２がジャケット画像Ｐ２４を吸い込むような画像演出を観察することとなる。【００５９】
一方、携帯端末２側では、図１６に示すように、ジャケット画像Ｐ２４の消去領域が携帯画像Ｐ３４（以下、ジャケット画像Ｐ３４という）として表示部５０に表示される。このように本実施例では、ジャケット画像Ｐ２４とジャケット画像Ｐ３４を合わせると、元のジャケット画像となる。すなわち、携帯端末２がジャケット画像Ｐ２４に挿入されたのを契機に、携帯端末２の移動に伴ってジャケット画像Ｐ２４の一部領域が徐々に消去されると同時に、ジャケット画像Ｐ２４の消去領域が徐々にジャケット画像Ｐ３４として表示されるので、ジャケット画像Ｐ２４が携帯端末２に吸い込まれて、吸い込まれた消去領域の画像が携帯端末２に転送されたような画像演出が実行されることとなる。【００６０】
勿論、第１実施例と同様に上述した画像演出を実行するためには、携帯端末２がジャケット画像Ｐ２４に挿入されたのを契機に、画像表示装置１は、携帯端末２に対して、ジャケット画像Ｐ２４の消去領域の画像データ、及び試聴音楽データを送信するようになっている。ここで、試聴音楽データとは、当該ジャケット画像を有する対象ＣＤに含まれている音楽の試聴データであり、消去領域に比例した時間分の音楽データ（例えば、ジャケット画像Ｐ２４のすべてが消去された場合には１分間の音楽データ、ジャケット画像Ｐ２４の約１／４が消去された場合には１５秒間の音楽データなど）となっている。より詳しくは、本実施例においては、画像表示装置１は、携帯端末２に送信する情報の送信状況（伝送方向や伝送進捗度）に応じて、ジャケット画像Ｐ２４及びジャケット画像Ｐ３４の画像制御を行っている。具体的には、画像表示装置１から携帯端末２へ情報を送信する本実施例においては、携帯端末２の移動により決定されたジャケット画像Ｐ２４の消去領域の、ジャケット画像Ｐ２４全体に対する割合に按分して、送信する情報量（画像データ及び音楽データの情報量）を決定しているので、送信する情報量の全送信量に対する割合に応じて、伝送元のジャケット画像Ｐ２４を徐々に消去すると同時に、伝送先のジャケット画像Ｐ２４の消去領域をジャケット画像Ｐ３４として徐々に表出させて表示するように制御している。【００６１】
なお、画像表示装置１から携帯端末２に情報送信がされた場合には、携帯端末２の表示面５０には、上述したジャケット画像Ｐ３４とともに、現在試聴可能な音楽時間が表示され（例えば、「１５秒試聴できます」「１分試聴できます」など）、所定の操作を行うことにより、携帯端末２では、試聴可能な時間分の音楽を試聴することが可能となっている。そして、視聴後には音楽購入に関する情報（例えば、「この曲をダウンロードして購入しますか」などの販促情報や当該ＣＤを販売している店舗情報）が、携帯端末２の表示面５０に表示されるようになっている。【００６２】
次に、図１７を用いて、第２実施例に係る画像表示システム１００の動作について説明する。図１７は、第２実施例に係る画像表示装置１の動作を示すフローチャートである。【００６３】
まず、画像表示装置１の画像制御部１４０は、結像面３０にジャケット画像Ｐ２４を浮遊画像として表示する（ステップＳ１１０）。具体的には、図１４に示すようなジャケット画像Ｐ２４を表示する。【００６４】
次に、画像表示装置１の位置検出部１２０は、ジャケット画像Ｐ２４に携帯端末２が挿入されたか否かを判定する（ステップＳ１２０）。【００６５】
ジャケット画像Ｐ２４に携帯端末２が挿入されたときは（ステップＳ１２０：ＹＥＳ）、位置検出部１２０は、結像面３０における携帯端末２の位置を検出し（ステップＳ１３０）、次いで、画像制御部１４０は、携帯端末２の位置近傍の所定領域のジャケット画像Ｐ２４を消去する（ステップＳ１４０）。【００６６】
次いで、画像表示装置１の画像制御部１４０は、ジャケット画像Ｐ２４の消去領域に対応するジャケット画像のデータを、情報送受信部１３０を介して、携帯端末２に送信し、消去された領域のジャケット画像Ｐ３４を表示させる（ステップＳ１５０）。また、画像表示装置１の画像制御部１４０は、ジャケット画像Ｐ２４の消去領域から試聴時間を算出し、情報送受信部１３０を介して、試聴時間分の音楽データを携帯端末２に送信する（ステップＳ１６０）。【００６７】
次いで、画像表示装置１の画像制御部１４０は、ジャケット画像Ｐ２４がすべて消去されたか否かを判定し（ステップＳ１７０）、ジャケット画像Ｐ２４がすべて消去されたときは（ステップＳ１７０：ＹＥＳ）、処理を終了し、ジャケット画像Ｐ２４の少なくとも一部が表示されているときは（ステップＳ１７０：ＮＯ）、上述したステップＳ１３０〜Ｓ１６０の処理を行い、携帯端末２の移動軌跡に応じた領域のジャケット画像Ｐ２４を消去し、また、携帯端末２に消去領域のジャケット画像Ｐ３４を表示させるように制御する。【００６８】
なお、ステップＳ１２０において、ジャケット画像Ｐ２４に携帯端末２が挿入されないときは（ステップＳ１２０：ＮＯ）、ジャケット画像Ｐ２４を浮遊画像としてそのまま表示し続ける（ステップＳ１１０）。【００６９】
以上、第２実施例によれば、浮遊画像として空中に表示されたジャケット画像に携帯端末２を挿入したまま移動させると、ジャケット画像が部分的に携帯端末２に吸い込まれるような画像表示が行われて、ジャケット画像に関連する音楽が携帯端末２側で試聴可能となるので、観察者Ｈは所望の情報を簡単かつ直感的に取得することができる。【００７０】
また、画像表示装置１と携帯端末２との間の情報の転送状況を、ジャケット画像の欠如及び表出によって視覚的に表示しているので、転送操作自体を楽しむことができる。【００７１】
＜第３実施例＞
次に、画像表示システム１００を写真プリントサービスに適用した第３実施例について説明する。第３実施例に係る画像表示システム１００においては、画像表示装置１が、まず、「携帯電話端末を画面に挿入し、写真画像を送信してください」などのシステム使用説明を浮遊画像Ｐ２５Ａとして表示する。このような状態において、ユーザ（観察者Ｈ）は、図１８に示すように、携行する携帯端末２の表示面５０に印刷したい写真画像Ｐ３５を表示して、図１９に示すように、結像面３０に挿入すると、図２０に示すように、写真画像Ｐ３５は部分的に徐々に欠けて消去されると同時に、結像面３０には、携帯端末２上で消去された写真画像が浮遊画像の写真画像Ｐ２５として部分的に徐々に現れて表示される。このように本実施例では、写真画像Ｐ３５と写真画像Ｐ２５を合わせると、元の１枚の写真画像となる。すなわち、画像表示装置１は、携帯端末２が結像面３０に挿入されたのを契機に、写真画像Ｐ３５を部分的に徐々に欠けて表示するように制御するとともに、写真画像Ｐ２５を部分的に徐々に表出させて表示するように制御するので、その結果、観察者Ｈは、携帯端末２に表示されていた写真画像Ｐ３５が飛び出して浮遊画像となり、写真画像が携帯端末２から画像表示装置１側に転送されたような画像演出を観察することとなる。【００７２】
勿論、携帯端末２を結像面３０に挿入する際には、ユーザは携帯端末２に対して所定の操作を行って、写真画像データのデータ出力処理を行っている。その結果、携帯端末２が結像面３０に挿入されたのを契機に、画像表示装置１は、携帯端末２から、写真画像Ｐ３５の画像データを受信するようになっている。より詳しくは、画像表示装置１は、携帯端末２から受信する情報の受信状況（伝送方向や伝送進捗度）に応じて、写真画像Ｐ３５及びＰ２５の画像制御を行っている。具体的には、携帯端末２から画像表示装置１へ情報を送信する本実施例においては、画像表示装置１は、既に受信した情報量の全受信量に対する割合に応じて、伝送先の写真画像Ｐ２５を部分的に徐々に表出するように表示すると同時に、携帯端末２側では、既に送信した情報量の全送信量に対する割合に応じて、伝送元の写真画像Ｐ３５を部分的に徐々に消去するように制御している。【００７３】
そして最終的に、携帯端末２から画像表示装置１への情報送信が終了したときには、結像面３０には１枚の完全な形の写真画像Ｐ２５が表示されるとともに、送信された写真画像データに基づいて、画像表示装置１側から写真画像がプリント出力される。【００７４】
以上、第３実施例によれば、携帯端末２に写真画像を表示しつつ、浮遊画像の結像面３０に携帯端末２を挿入して、写真画像データのデータ出力処理を行うと、写真画像が携帯端末２から飛び出してくるような画像表示を行って、写真画像が画像表示装置１側でプリント出力されるので、観察者Ｈは所望の写真画像を簡単かつ直感的に転送出力することができる。【００７５】
また、画像表示装置１と携帯端末２との間の情報の転送状況を、浮遊画像及び携帯画像の写真画像によって視覚的に表示しているので、転送操作自体を楽しむことができる。【００７６】
以上から、画像表示システム１００は、第１実施例や第２実施例のように、画像表示装置１（情報端末）から携帯端末２に情報を送信するサービスだけ適用されるものではなく、携帯端末２から画像表示装置１（情報端末）に情報を送信するサービスにも適用は可能である。このように、情報が送受信される方向（画像表示装置１から携帯端末２へ送信、または携帯端末２から画像表示装置１へ送信）に応じて、それが視覚的にわかるような画像表示を行い、さらには、送受信の進捗度もわかるようにすると、観察者Ｈは、簡単かつ直感的に、そして積極的に楽しく、情報のやりとりをすることが可能になる。【００７７】
また、本実施例では、携帯端末２から画像表示装置１（情報端末）に送信する情報を写真画像データとしたが、サービスの形態により、送信情報は種々想定されるものである。例えば、図２１に示すように、画像表示システム１００をチケット発券サービスに適用する場合には、チケット予約番号が携帯端末２から画像表示装置１に送信される。【００７８】
図２１に示すチケット発券サービスは、前提として、ユーザ（観察者Ｈ）はまず、予め携帯端末２で所望のチケットを予約し、当該予約に基づいて、チケットを画像表示装置１（情報端末）側で発券してもらうサービスである。詳しくは、画像表示装置１が、まず、「携帯電話端末を画面に挿入し、予約番号を送信してください」などのシステム使用説明を浮遊画像Ｐ２６Ａとして表示する。このような状態において、ユーザ（観察者Ｈ）は、図２１に示すように、携行する携帯端末２を結像面３０に挿入すると、「予約番号送信中」などの文言画像Ｐ２６が浮遊画像として表示面５０から飛び出すように表示される。すなわち、画像表示装置１は、携帯端末２が結像面３０に挿入されたのを契機に、表示面５０から文言画像Ｐ２６の各文言が文頭から徐々に表出するように画像制御するので、その結果、観察者Ｈは、携帯端末２に格納されていた予約番号情報が飛び出して浮遊画像となり、情報が携帯端末２から画像表示装置１側に転送されたような画像演出を観察することとなる。【００７９】
勿論、携帯端末２を結像面３０に挿入する際には、ユーザは携帯端末２に対して所定の操作を行って、予約番号情報のデータ出力処理を行っている。その結果、携帯端末２が結像面３０に挿入されたのを契機に、画像表示装置１は、携帯端末２から、予約番号情報を受信するようになっている。より詳しくは、画像表示装置１は、携帯端末２から受信する情報の受信状況（伝送方向や伝送進捗度）に応じて、文言画像Ｐ２６の画像制御を行っている。具体的には、携帯端末２から画像表示装置１へ情報を送信する本実施例においては、画像表示装置１は、情報を受信中の間は、文言画像Ｐ２６が繰り返し表出するように画像制御したり、既に受信した情報量の全受信量に対する割合に応じて、文言画像Ｐ２６が部分的に徐々に表出するように画像制御したりしている。【００８０】
そして最終的に、携帯端末２から画像表示装置１への情報送信が終了したときには、送信された予約番号情報に基づいて、画像表示装置１側から所望のチケットが印刷されて発券される。【００８１】
なお、上述した各実施例においては、浮遊画像Ｐ２と携帯画像Ｐ３を連動させて、画像表示装置１と携帯端末２との間の情報のやりとりを可視化できるようにしたが、これに加えて、実物体を結像面３０の近傍に配置して、データ転送の際の画像演出をさらに興趣あるものにしてもよい。【００８２】
例えば、図２２（ａ）に示すように、実物体のスプレー缶６１を結像面３０の近傍に配置して、携帯端末２を結像面３０に挿入すると、スプレー缶６１から霧Ｐ２７を浮遊画像として表示するようにしてもよい。なお、この場合には、噴射された霧Ｐ２７に携帯端末２を近づけて、霧Ｐ２７を携帯端末２に取り込むことにより、画像表示装置１から携帯端末２に所望の情報が転送されるようになっている。【００８３】
また、図２２（ｂ）に示すように、実物体の大砲６２を結像面３０の近傍に配置して、携帯端末２を結像面３０に挿入すると、大砲６２から玉（アイコン）Ｐ２８を浮遊画像として表示するようにしてもよい。なお、この場合には、大砲６２から飛び出した玉（アイコン）Ｐ２８に携帯端末２を近づけて受け止めることにより、画像表示装置１から携帯端末２に所望の情報が転送されるようになっている。【００８４】
また、上述した各実施例において、画像表示装置１と携帯端末２との間でやりとりされる情報は、実際に浮遊画像Ｐ２や端末画像Ｐ３として表示されるデータそのものであったが、画像表示装置１と携帯端末２との間でやりとりされる情報は、これに限定されない。例えば、ネットワーク上存在する情報を携帯端末２にダウンロードするためのリンク情報（情報が格納されているリンク先を示す情報）や、携帯端末２が自ら保持する情報の格納先を示すインデックス情報などであってもよい。【００８５】
なお、上記実施形態では、浮遊画像表示部の構成として、結像面３０上に実像を表示する方式（浮遊画像は一平面上に形成される方式；以下、３Ｄフローティングビジョン（登録商標）方式という）を採用したが、浮遊画像表示部の構成はこの方式に限定されるものではなく、空間中に実像を表示する方式であればいずれの方式であってもよい。例えば、浮遊画像として実像を表示するＩＰ（インテグラルフォトグラフィ）方式を採用してもよい。【００８６】
図２３は、ＩＰ方式を採用した画像表示装置１Ａの浮遊画像表示部１１０Ａの概略構成図である。ＩＰ方式の場合には、図２３に示すように、画像伝達パネル２０Ａは、３Ｄフローティングビジョン（登録商標）方式の場合よりも、表示部１０に近い位置に配置される。具体的には、画像伝達パネル２０Ａは、ピンホールアレイ、マイクロレンズアレイ、レンチキュラーレンズなどであり、画像伝達パネル２０Ａは、一平面上に結像させるのではなく、表示部１０からの出射光の方向を変える若しくは制御するために用いられるので、浮遊画像は、奥行きを持った浮遊画像Ｐ２Ａとして形成される。【００８７】
すなわち、本実施の形態に係る浮遊画像には、空間中の所定の平面上に表示される二次元画像Ｐ２の他、空間中に物理的に奥行きを持って表示される三次元画像Ｐ２Ａも含まれる。【００８８】
なお、ＩＰ方式の場合には、奥行きを持った浮遊画像Ｐ２Ａを表示するため、３Ｄフローティングビジョン（登録商標）方式の場合よりも、表示部１０に表示する二次元画像の画像制御が複雑となるので、簡単に立体画像を制作するという観点から見ると、３Ｄフローティングビジョン（登録商標）方式がより好適である。【００８９】
そして、上記実施形態及び上述した各実施例で述べた画像演出は、実像である浮遊画像を用いたフローティングビジョン（登録商標）方式またはＩＰ方式であるからこそ、実現できるものである。なぜなら、２次元画像を表示する２Ｄディスプレイに向かって携帯端末２を近づける場合には、携帯端末２が２Ｄディスプレイの画像表示面と物理的に接触してしまうので、上述した携帯端末２が空中上で浮遊画像と交差して挿入するような操作はできない。そのため、観察者Ｈは、２Ｄディスプレイの場合には、上記実施形態及び上述した各実施例で述べたような携帯端末２に吸い込まれるような画像表示、または携帯端末２から飛び出してくるような画像表示をリアルに体験することはできない。【００９０】
以上、述べたように本実施の形態に係る画像表示装置１は、二次元画像を表示する画像表示面１１を備えた表示部１０と、画像表示面１１から出射される光の光路に配置された画像伝達パネル２０と、を備え、画像表示面１１から出射される光を画像伝達パネルの表示部１０と対向する側と反対側に位置する空間に、浮遊画像Ｐ２として表示する浮遊画像表示部１１０と、空間における携帯端末の位置を検出する位置検出部１２０と、携帯端末２と無線通信によって情報の送受信を行う情報送受信部１３０と、浮遊画像Ｐ２と携帯端末２の画像表示面に表示される端末画像Ｐ３と、を互いに連動させて制御する画像制御部１４０と、を有し、画像制御部１４０は、位置検出部１２０により検出された携帯端末２の位置と情報送受信部１３０により携帯端末２との間で送受信される情報の伝送状況に基づいて、浮遊画像Ｐ２及び端末画像Ｐ３のそれぞれを連動させて変化させるように制御するので、携帯端末２との情報のやりとりを、浮遊画像を用いた新規なインターフェースで実現し、その転送操作自体をユーザが興味を持って楽しむことができる。【００９１】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。
【図１】
2010035326.tif 000003
【図２】
2010035326.tif 000004
【図３】
2010035326.tif 000005
【図４】
2010035326.tif 000006
【図５】
2010035326.tif 000007
【図６】
2010035326.tif 000008
【図７】
2010035326.tif 000009
【図８】
2010035326.tif 000010
【図９】
2010035326.tif 000011
【図１０】
2010035326.tif 000012
【図１１】
2010035326.tif 000013
【図１２】
2010035326.tif 000014
【図１３】
2010035326.tif 000015
【図１４】
2010035326.tif 000016
【図１５】
2010035326.tif 000017
【図１６】
2010035326.tif 000018
【図１７】
2010035326.tif 000019
【図１８】
2010035326.tif 000020
【図１９】
2010035326.tif 000021
【図２０】
2010035326.tif 000022
【図２１】
2010035326.tif 000023
【図２２】
2010035326.tif 000024
【図２３】
2010035326.tif 000025
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
二次元画像を表示する画像表示面を備えた表示部と、
前記画像表示面から出射される光の光路に配置された画像伝達パネルと、を備え、
前記画像表示面から出射される光を前記画像伝達パネルの前記表示部と対向する側と反対側に位置する空間に、浮遊画像として表示する浮遊画像表示手段と、
前記空間における携帯端末の位置を検出する位置検出手段と、
前記携帯端末と無線通信によって情報の送受信を行う情報送受信手段と、
前記浮遊画像と、前記携帯端末の画像表示面に表示される端末画像と、を互いに連動させて制御する画像制御手段と、
を有し、
前記情報送受信手段は、
前記位置検出手段が前記空間内において前記携帯端末を検出した場合には、前記情報の送受信を制御し、
前記画像制御手段は、
前記位置検出手段により検出された前記携帯端末の位置と、前記情報送受信手段により前記携帯端末との間で送受信される情報の伝送状況に基づいて、前記浮遊画像及び前記端末画像のそれぞれを連動させて変化させるように制御することを特徴とする画像表示装置。
【請求項２】
前記伝送状況は、
前記情報の伝送方向及び前記情報の伝送進捗度のうち少なくともいずれか一方であることを特徴とする請求項１記載の画像表示装置。
【請求項３】
（削除）
【請求項４】
前記情報送受信手段は、
前記画像表示制御手段が表示した前記浮遊画像の表示位置と、前記位置検出手段が前記空間内において検出した前記携帯端末の位置と、に基づいて、前記情報の送受信を開始することを特徴とする請求項１記載の画像表示装置。
【請求項５】
前記画像制御手段は、
連動させて変化させる前記浮遊画像及び前記端末画像のいずれか一方を徐々に大きく表示制御するとともに、他方を徐々に小さく表示制御することを特徴とする請求項１記載の画像表示装置。
【請求項６】
連動させて変化させる前記浮遊画像と前記端末画像は、同一オブジェクトに関する画像であることを特徴とする請求項５記載の画像表示装置。
【請求項７】
連動させて変化させる前記浮遊画像と前記端末画像は、同一オブジェクトに関する画像であり、
前記画像制御手段は、
前記浮遊画像及び前記端末画像のいずれか一方においては、表示されている画像を徐々に部分的に消去するとともに、他方においては、前記一方において部分的に消去した画像を徐々に表示するように制御することを特徴とする請求項１記載の画像表示装置。
【請求項８】
前記画像制御手段は、
前記浮遊画像を徐々に部分的に消去する場合には、
前記携帯端末の移動に追随して、前記位置検出手段が検出した前記携帯端末の位置近傍の前記浮遊画像を消去することを特徴とする請求項７記載の画像表示装置。
【請求項９】
前記画像制御手段は、
前記情報送受信手段が前記情報の送受信を終了した後、送受信した情報を展開することを特徴とする請求項１記載の画像表示装置。
【請求項１０】
前記画像制御手段は、
前記情報送受信手段が前記情報の送受信を終了した後、送受信した情報に基づいて、所定の処理を実行することを特徴とする請求項１記載の画像表示装置。
【請求項１１】
前記情報送受信手段は、
前記浮遊画像の消去量に応じて、送受信する情報の量を変化させることを特徴とする請求項８記載の画像表示装置。
【請求項１２】
前記画像表示制御手段が複数の前記浮遊画像を表示する場合であって、前記情報送受信手段が前記情報の送受信を開始する送受信条件を満たした場合には、
前記送受信条件を満たした回数に応じて、送受信する情報の量を変化させることを特徴とする請求項４記載の画像表示装置。
【請求項１３】
前記空間内に演出用実物体を配設し、前記画像制御手段は、前記演出用実物体の配設位置から前記浮遊画像を移動させながら表示することを特徴とする請求項１記載の画像表示装置。
【請求項１４】
前記浮遊画像は、前記画像表示面に表示された二次元画像に基づく実像であることを特徴とする請求項１〜２、４〜１３のいずれか１項に記載の画像表示装置。
【請求項１５】
前記浮遊画像は、前記画像伝達パネルによって空間中の結像面に結像された実像であることを特徴とする請求項１４記載の画像表示装置。
【請求項１６】
請求項１〜２、４〜１３のいずれか１項に記載の画像表示装置と、前記携帯端末と、を備えたことを特徴とする画像表示システム。
【手続補正２】
【補正対象書類名】明細書
【補正対象項目名】０００２
【補正方法】変更
【補正の内容】
【０００２】
［０００７］
特許文献１：特開２００３−３３３６２３号公報
特許文献２：特開２００５−２３４２４０号公報
特許文献３：特開２００５−１４１１０２号公報
特許文献４：国際公開第２００８／０４１３１５号パンフレット
発明の開示
発明が解決しようとする課題
［０００８］
昨今、携帯端末（例えば、携帯電話端末など）を用いて、他の情報端末と情報のやりとりを行うことが盛んである。例えば、表示された二次元コードを読み取って、携帯端末に必要な情報を取り入れたり、携帯端末で撮影した写真画像データをプリント出力装置に接続して写真を印刷したりしている。
［０００９］
上述したような携帯端末と情報端末との情報のやりとりを、従来にない新規なインターフェースで行い、転送操作自体をユーザが積極的に楽しめるような演出効果があれば、携帯端末を用いた情報提供サービスをさらに促進することになる。
［００１０］
本発明は、上記の事情を鑑みてなされたものであり、その課題の一例としては、携帯端末との情報のやりとりを、浮遊画像を用いた新規なインターフェースで実現し、その転送操作自体をユーザが興味を持って楽しむことができる画像表示装置を提供することにある。
課題を解決するための手段
［００１１］
上記の課題を達成するため、本発明の請求項１記載の画像表示装置は二次元画像を表示する画像表示面を備えた表示部と、前記画像表示面から出射される光の光路に配置された画像伝達パネルと、を備え、前記画像表示面から出射される光を前記画像伝達パネルの前記表示部と対向する側と反対側に位置する空間に、浮遊画像として表示する浮遊画像表示手段と、前記空間における携帯端末の位置を検出する位置検出手段と、前記携帯端末と無線通信によって情報の送受信を行う情報送受信手段と、前記浮遊画像と、前記携帯端末の画像表示面に表示される端末画像と、を互いに連動させて制御する画像制御手段と、を有し、前記情報送受信手段は、前記位置検出手段が前記空間内において前記携帯端末を検出した場合には、前記情報の送受信を制御し、前記画像制御手段は、前記位置検出手段により検出された前記携帯端末の位置と、前記情報送受信手段により前記携帯端末との間で送受信される情報の伝送状況に基づいて、前記浮遊画
【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
二次元画像を表示する画像表示面を備えた表示部と、
前記画像表示面から出射される光の光路に配置された画像伝達パネルと、を備え、
前記画像表示面から出射される光を前記画像伝達パネルの前記表示部と対向する側と反対側に位置する空間に、浮遊画像として表示する浮遊画像表示手段と、
前記空間における携帯端末の位置を検出する位置検出手段と、
前記携帯端末と無線通信によって情報の送受信を行う情報送受信手段と、
前記浮遊画像と、前記携帯端末の画像表示面に表示される端末画像と、を互いに連動させて制御する画像制御手段と、
を有し、
前記情報送受信手段は、
前記位置検出手段が前記空間内において前記携帯端末を検出した場合には、前記情報の送受信を制御し、
前記画像制御手段は、
前記位置検出手段により検出された前記携帯端末の位置と、前記情報送受信手段により前記携帯端末との間で送受信される情報の伝送状況に基づいて、前記浮遊画像及び前記端末画像のそれぞれを連動させて変化させるように制御することを特徴とする画像表示装置。
【請求項２】
前記伝送状況は、
前記情報の伝送方向及び前記情報の伝送進捗度のうち少なくともいずれか一方であることを特徴とする請求項１記載の画像表示装置。
【請求項３】
前記情報送受信手段は、
前記画像表示制御手段が表示した前記浮遊画像の表示位置と、前記位置検出手段が前記空間内において検出した前記携帯端末の位置と、に基づいて、前記情報の送受信を開始することを特徴とする請求項１記載の画像表示装置。
【請求項４】
前記画像制御手段は、
連動させて変化させる前記浮遊画像及び前記端末画像のいずれか一方を徐々に大きく表示制御するとともに、他方を徐々に小さく表示制御することを特徴とする請求項１記載の画像表示装置。
【請求項５】
連動させて変化させる前記浮遊画像と前記端末画像は、同一オブジェクトに関する画像であることを特徴とする請求項４記載の画像表示装置。
【請求項６】
連動させて変化させる前記浮遊画像と前記端末画像は、同一オブジェクトに関する画像であり、
前記画像制御手段は、
前記浮遊画像及び前記端末画像のいずれか一方においては、表示されている画像を徐々に部分的に消去するとともに、他方においては、前記一方において部分的に消去した画像を徐々に表示するように制御することを特徴とする請求項１記載の画像表示装置。
【請求項７】
前記画像制御手段は、
前記浮遊画像を徐々に部分的に消去する場合には、
前記携帯端末の移動に追随して、前記位置検出手段が検出した前記携帯端末の位置近傍の前記浮遊画像を消去することを特徴とする請求項６記載の画像表示装置。
【請求項８】
前記画像制御手段は、
前記情報送受信手段が前記情報の送受信を終了した後、送受信した情報を展開することを特徴とする請求項１記載の画像表示装置。
【請求項９】
前記画像制御手段は、
前記情報送受信手段が前記情報の送受信を終了した後、送受信した情報に基づいて、所定の処理を実行することを特徴とする請求項１記載の画像表示装置。
【請求項１０】
前記情報送受信手段は、
前記浮遊画像の消去量に応じて、送受信する情報の量を変化させることを特徴とする請求項７記載の画像表示装置。
【請求項１１】
前記画像表示制御手段が複数の前記浮遊画像を表示する場合であって、前記情報送受信手段が前記情報の送受信を開始する送受信条件を満たした場合には、
前記送受信条件を満たした回数に応じて、送受信する情報の量を変化させることを特徴とする請求項３記載の画像表示装置。
【請求項１２】
前記空間内に演出用実物体を配設し、前記画像制御手段は、前記演出用実物体の配設位置から前記浮遊画像を移動させながら表示することを特徴とする請求項１記載の画像表示装置。
【請求項１３】
前記浮遊画像は、前記画像表示面に表示された二次元画像に基づく実像であることを特徴とする請求項１〜１２のいずれか１項に記載の画像表示装置。
【請求項１４】
前記浮遊画像は、前記画像伝達パネルによって空間中の結像面に結像された実像であることを特徴とする請求項１３記載の画像表示装置。
【請求項１５】
請求項１〜１２のいずれか１項に記載の画像表示装置と、前記携帯端末と、を備えたことを特徴とする画像表示システム。
【国際調査報告】
2010035326.tif 000026
2010035326.tif 000027